(57)【要約】【課題】エレベータの周辺制御機器の回路が破損した場合でも乗りかごの運転を継続し、かつ、前述した回路破損により過電流が発生した場合でも他の機器の破損を最小限に防ぐ。【解決手段】エレベータ制御盤１とホール側制御盤９ａ，９ｂの間に光伝送路を含む中継装置３を設ける。火災などの非常時に非常運転スイッチ７が押下されると、エレベータ制御盤１はメタル・光変換装置４ａに対し中継停止制御信号を出力する。メタル・光変換装置４ａはエレベータ制御盤１からの中継停止制御信号を入力すると、エレベータ制御盤１からホール側制御盤９ａ，９ｂへの制御信号のシリアル伝送ケーブル２ｂを介した中継を継続する一方で、ホール側制御盤９ａ，９ｂからエレベータ制御盤１への制御信号の中継を停止する。【選択図】      図１
2007062853.tif 000002
【特許請求の範囲】
【請求項１】
エレベータ制御装置と、
各階床の乗り場に設けられ、前記エレベータ制御装置との間で制御信号を通信する通信対象機器と、
前記通信対象機器とエレベータ制御装置の間に接続され、前記通信対象機器から第１のメタルケーブルを介して伝送される電気信号を電磁波に変換し、この電磁波を元の電気信号に再変換して第２のメタルケーブルを介して前記エレベータ制御装置に伝送する中継手段と、
必要に応じて、前記通信対象機器からの電気信号が前記エレベータ制御装置に伝送されないように前記中継手段の動作を制御する制御手段と
を備えたことを特徴とするエレベータ。
【請求項２】
スイッチ手段をさらに備え、
前記制御手段は、前記スイッチ手段に対する操作があった場合に前記通信対象機器からの電気信号が前記エレベータ制御装置に伝送されないように前記中継手段の動作を制御することを特徴とする請求項１に記載のエレベータ。
【請求項３】
エレベータ制御装置と、
各階床の乗り場に設けられ、前記エレベータ制御装置との間で制御信号を通信する通信対象機器と、
第１のメタルケーブルを介して前記通信対象機器と接続され、前記通信対象機器から前記第１のメタルケーブルを介して伝送される電気信号を光信号に変換して光伝送路を介して送信する第１の中継手段と、
第２のメタルケーブルを介して前記エレベータ制御装置と接続され、前記第１の中継手段により送信された光信号を元の電気信号に再変換して前記第２のメタルケーブルを介して前記エレベータ制御装置に伝送する第２の中継手段と、
スイッチ手段と、
このスイッチ手段に対する操作があった場合に前記第２の中継手段の動作を停止させる制御を行なう制御手段と
を備えたことを特徴とするエレベータ。
【請求項４】
前記各階床の乗り場を含む各所に設けられる通信対象機器と前記エレベータ制御装置との間の信号伝送の異常を検出する異常検出手段をさらに備えたことを特徴とする請求項１乃至３のいずれかに記載のエレベータ。
【請求項５】
前記異常検出手段による検出結果を示す情報を外部に出力する手段をさらに備えたことを特徴とする請求項４に記載のエレベータ。
【請求項６】
前記異常検出手段による検出結果を示す情報を記憶する記憶手段をさらに備えたことを特徴とする請求項４に記載のエレベータ。
【請求項７】
前記エレベータ制御装置と乗りかごとの間の信号伝送に異常がなく、前記エレベータ制御装置と前記乗り場に設けられる通信対象機器との間の信号伝送に異常があることを前記異常検出手段が検出した場合に、前記エレベータ制御装置は呼びの有無に関わらず前記乗りかごの各階停止運転を制御することを特徴とする請求項４に記載のエレベータ。
【発明の詳細な説明】
【技術分野】
【０００１】
本発明は、例えば火災時などに非常運転を行なうエレベータに関する。
【背景技術】
【０００２】
従来、エレベータ制御盤は例えば特許文献１に開示されるようにエレベータ周辺制御機器との間で制御信号を送受信する。エレベータ周辺制御機器のうちエレベータホールにおいて呼び登録や階床表示を行なうホール制御機器は階床表示部、呼びボタンおよび制御部を含んでなる。階床表示部および呼びボタンは各階床の乗り場に設けられる。この制御部は階床表示部による表示や呼びボタンによる呼び入力の監視を行なう。また、制御部は表示や呼び入力にかかる制御信号を通信制御回路およびシリアル伝送路を介してエレベータ制御盤との間で送受信する。
【０００３】
図３は、従来のエレベータ制御盤の内部回路の構成例を示すブロック図である。  
従来のエレベータ制御盤３０は主コントローラ３１、通信コントローラ３２、通信ドライバ３３ａ，３２ａ，３３ａ，３４ａを備える。通信コントローラ３２は通信ドライバ３３ａを介して図示しないかご操作盤と接続され、通信ドライバ３３ｂを介して図示しないかごドア制御盤と接続され、通信ドライバ３３ｃを介して第１の階床の昇降路側制御基板４０と接続され、通信ドライバ３３ｄを介して第２の階床の昇降路側制御基板４０と接続される。このエレベータのサービス対象の階床は２階床である。  
通信コントローラ３２は、主コントローラ３１ならびに各階床の昇降路側制御基板４０、かご操作盤およびかごドア制御盤との間の制御信号の入出力を司る。
【０００４】
図４は、従来の階床側機器の構成例を示すブロック図である。  
この階床側機器は前述した第１の階床側の機器であり、昇降路側制御基板４０およびインジケータ・ボタン用基板５０を含んでなる。昇降路側基板４０は通信ドライバ４１およびホールコントローラ４２を備える。インジケータ・ボタン用基板５０はインジケータ５１ａ，５１ｂ、ホールボタン５２ａ，５２ｂを備える。インジケータ５１ａ，５１ｂやホールボタン５２ａ，５２ｂはケーブルを介して昇降路側基板４０のホールコントローラ４２と電気的に接続される。
【０００５】
昇降路側基板４０のホールコントローラ４２は通信ドライバ４１およびエレベータ制御盤３０側の通信ドライバ３３ｃを介して、エレベータ制御盤３０ならびにインジケータ５１ａ，５１ｂおよびホールボタン５２ａ，５２ｂとの間の制御信号の入出力を司る。
【０００６】
図５は、従来の階床側機器の別の構成例を示すブロック図である。  
図５に示した階床側機器は図４に示した階床側機器と異なり、部品数の削減を目的として、ホール操作盤制御基板６０に上に通信ドライバ４１、ホールコントローラ４２、ホールインジケータ５１ａ，５１ｂ、ホールボタン５２ａ，５２ｂを搭載してなる。
【特許文献１】特開平９−２６７９８０号公報
【発明の開示】
【発明が解決しようとする課題】
【０００７】
このようなエレベータが設けられた建物内で火災が発生した場合には、例えば消防隊が消火のための放水を行なうことによりホール側機器内への水の浸入やホール側機器周辺の温度上昇が起こると内部回路が破損する場合がある。
【０００８】
特に図５に示したような構成の機器では、通信ドライバ４１やホールコントローラ４２はホールインジケータ５１ａ，５１ｂやホールボタン５２ａ，５２ｂと同一基板上で電気的に接続されているため、これら通信ドライバ４１やホールコントローラ４２の破損の可能性が高い。
【０００９】
この回路破損により昇降路側基板４０やホール操作盤制御基板６０といった階床側制御機器からエレベータ制御盤３０に向けて不定信号が伝送された場合には、エレベータ制御盤３０によるかご操作盤やかごドア制御盤の制御を行なうことができない。
【００１０】
また、前述したように階床側制御機器とエレベータ制御盤３０の間のシリアル伝送ケーブルが短絡したり地絡したりした場合は当該伝送路に過電流が流れてしまう場合がある。これは、このケーブルと連なるエレベータ制御盤３０側の通信ドライバ３３ｃ，３３ｄや通信コントローラ３２の破損の原因となる。
【００１１】
そこで、本発明の目的は、エレベータの周辺制御機器の回路が破損した場合でも乗りかごの運転を継続し、かつ、前述した回路破損により過電流が発生した場合でも他の機器の破損を最小限に防ぐことが可能になるエレベータを提供することにある。
【課題を解決するための手段】
【００１２】
すなわち、本発明に係わるエレベータは、エレベータ制御装置と、各階床の乗り場に設けられ、エレベータ制御装置との間で制御信号を通信する通信対象機器と、通信対象機器とエレベータ制御装置の間に接続され、通信対象機器から第１のメタルケーブルを介して伝送される電気信号を電磁波に変換し、この電磁波を元の電気信号に再変換して第２のメタルケーブルを介してエレベータ制御装置に伝送する中継手段と、必要に応じて、通信対象機器からの電気信号がエレベータ制御装置に伝送されないように中継手段の動作を制御することを特徴とする。
【発明の効果】
【００１３】
本発明に係わるエレベータでは、エレベータの周辺制御機器の回路が破損した場合でも乗りかごの運転を継続し、かつ、前述した回路破損により過電流が発生した場合でも他の機器の破損を最小限に防ぐことができる。
【発明を実施するための最良の形態】
【００１４】
以下図面により本発明の実施形態について説明する。  
図１は、本発明の実施形態にしたがったエレベータの構成例を示すブロック図である。  
このエレベータはエレベータ制御盤１、ホール側制御盤９ａ，９ｂ、かご操作盤１０、かごドア制御盤１１、エレベータ監視盤１２を備える。
【００１５】
エレベータ制御盤１は図示しない乗りかごの昇降制御を司る。中継装置３はメタル・光変換装置４ａ，５ａを備える。
【００１６】
メタル・光変換装置４ａはシリアル信号入出力部４ｂおよび光信号入出力部４ｃを備える。また、メタル・光変換装置５ａはシリアル信号入出力部５ｂおよび光信号入出力部５ｃを備える。
【００１７】
エレベータ制御盤１はシリアル伝送ケーブル２ａを介してメタル・光変換装置４ａのシリアル信号入出力部４ｂと接続される。メタル・光変換装置４ａの光信号入出力部４ｃは光伝送路６ａ，６ｂを介してメタル・光変換装置５ａの光信号入出力部５ｃと接続される。光伝送路６ａ，６ｂは例えば光ファイバーである。メタル・光変換装置５ａのシリアル信号入出力部５ｂはシリアル伝送ケーブル２ｂを介してホール側制御盤９ａ，９ｂと接続される。
【００１８】
メタル・光変換装置４ａはエレベータ制御盤１からの電気信号をシリアル信号入出力部４ｂから入力し、これを光信号に変換して光信号入出力部４ｃから光伝送路６ａを介してメタル・光変換装置５ａに送信する。
【００１９】
このメタル・光変換装置５ａはメタル・光変換装置４ａからの光信号を光信号入出力部５ｃから入力し、これを元の電気信号に再変換してシリアル信号入出力部５ｂからシリアル伝送ケーブル２ｂを介してホール側制御盤９ａ，９ｂに伝送する。シリアル伝送ケーブル２ａ，２ｂはメタルケーブルである。
【００２０】
また、メタル・光変換装置５ａはホール側制御盤９ａ，９ｂからの電気信号をシリアル信号入出力部５ｂから入力し、これを光信号に変換して光信号入出力部５ｃから光伝送路６ｂを介してメタル・光変換装置４ａに送信する。
【００２１】
このメタル・光変換装置４ａはメタル・光変換装置５ａからの光信号を光信号入出力部４ｃから入力し、これを元の電気信号に再変換してシリアル信号入出力部４ｂからシリアル伝送ケーブル２ａを介してエレベータ制御盤１に伝送する。
【００２２】
また、エレベータ制御盤１はシリアル伝送ケーブル２ｃを介してかご操作盤１０と接続され、シリアル伝送ケーブル２ｄを介してかごドア制御盤１１と接続され、シリアル伝送ケーブル２ｅを介してエレベータ監視盤１２と接続される。
【００２３】
エレベータ制御盤１は非常運転スイッチ７と接続される。この非常運転スイッチ７は例えば乗りかごの内部に設けられ、この乗りかごの非常用運転を行なう必要がある場合に作業者が押下するためのスイッチである。この非常用運転を行なう必要がある場合とは例えばエレベータ設置建物内での火災発生時である。
【００２４】
図２は、本発明の実施形態にしたがったエレベータ制御盤１の内部回路の構成例を示すブロック図である。  
エレベータ制御盤１は主コントローラ２１、通信コントローラ２２、メモリ２３、通信ドライバ２４ａ，２４ｂ，２４ｃ，２４ｄ，２４ｅを備える。
【００２５】
通信コントローラ２２は通信ドライバ２４ａおよびシリアル伝送ケーブル２ａを介して中継装置３と接続され、通信ドライバ２４ｂおよびシリアル伝送ケーブル２ｃを介してかご操作盤１０と接続される。また、通信ドライバ２４ｃおよびシリアル伝送ケーブル２ｄを介してかごドア制御盤１１と接続され、通信ドライバ２４ｄおよびシリアル伝送ケーブル２ｅを介してエレベータ監視盤１２と接続され、通信ドライバ２４ｅおよび制御信号ケーブル８を介してメタル・光変換装置４ａと接続される。
【００２６】
通信コントローラ２２は主コントローラ２１ならびにかご操作盤１０、かごドア制御盤１１、エレベータ監視盤１２および各階床のホール側制御盤９ａ，９ｂとの間の制御信号の入出力を司る。ここではエレベータのサービス対象の階床は２階床であるとする。
【００２７】
通信コントローラ２２は、主コントローラ２１からの制御信号がホール側制御盤９ａ，９ｂへの信号であった場合には、これを通信ドライバ２４ａおよびシリアル伝送ケーブル２ａを介して中継装置３に出力する。
【００２８】
通信コントローラ２２は、主コントローラ２１からの制御信号がかご操作盤１０への信号であった場合には、これを通信ドライバ２４ｂおよびシリアル伝送ケーブル２ｃを介してかご操作盤１０に出力する。
【００２９】
通信コントローラ２２は、主コントローラ２１からの制御信号がかごドア制御盤１１への信号であった場合には、これを通信ドライバ２４ｃおよびシリアル伝送ケーブル２ｄを介してかご操作盤１０に出力する。
【００３０】
通信コントローラ２２は、主コントローラ２１からの制御信号がエレベータ監視盤１２への信号であった場合には、これを通信ドライバ２４ｄおよびシリアル伝送ケーブル２ｅを介してエレベータ監視盤１２に出力する。
【００３１】
前述した非常用運転を行なう場合には、各階床の乗り場のインジケータの表示制御を行なう一方、ホール呼びを登録する必要がないので、エレベータ制御盤１はホール側制御盤９ａ，９ｂからの制御信号を入力する必要は無い。この非常用運転時にエレベータ制御盤１がホール側制御盤９ａ，９ｂからの制御信号を入力するとこの非常用運転が行なえなくなる。
【００３２】
そこで、エレベータ制御盤１の主コントローラ２１が非常運転スイッチ７の押下を認識すると、メタル・光変換装置４ａに対する中継停止の送信指示を示す制御信号を通信コントローラ２２に出力する。
【００３３】
通信コントローラ２２は、この制御信号を通信ドライバ２４ｅおよび制御信号ケーブル８を介してメタル・光変換装置４ａに出力する。
【００３４】
メタル・光変換装置４ａはエレベータ制御盤１からの制御信号を入力すると、エレベータ制御盤１からホール側制御盤９ａ，９ｂへの制御信号の中継を継続する一方で、ホール側制御盤９ａ，９ｂからエレベータ制御盤１への制御信号の中継を停止する。
【００３５】
具体的には、メタル・光変換装置４ａはシリアル信号入出力部４ｂからの電気信号の出力を行なわなくしたり、光信号入出力部４ｃから入力した光信号の電気信号への変換を行なわなくしたりする。
【００３６】
以上説明したように、エレベータ制御盤１とホール側制御盤９ａ，９ｂの間に光伝送路６ａ，６ｂを含む中継装置３を設け、消火活動時の回路破損により不定信号がホール側制御盤９ａ，９ｂからシリアル伝送ケーブル２ｂに流れたとしても、消防隊が非常運転スイッチ７を押下することでメタル・光変換装置４ａはホール側制御盤９ａ，９ｂからの不定信号のエレベータ制御盤１への中継を行なわなくなる。よってエレベータ制御盤１は乗りかごの非常用運転制御を正常に行なうことができる。
【００３７】
また、ホール側制御盤９ａ，９ｂの回路の短絡や地絡によりシリアル伝送ケーブル２ｂに過電流が流れたためにメタル・光変換装置５ａが破損したとしても、このメタル・光変換装置５ａとメタル・光変換装置４ａとは光伝送路６ａ，６ｂを介して接続されているので、メタル・光変換装置４ａやシリアル伝送ケーブル２ａには過電流が流れない。よってホール制御盤９ａ，９ｂからの過電流によるエレベータ制御盤１の破損を防ぐことができる。
【００３８】
以上説明した実施形態では、メタル・光変換装置４ａが非常運転スイッチ７の押下にともなうエレベータ制御盤１からの制御信号を入力する構成としたが、メタル・光変換装置５ａから制御信号ケーブル８へ前述した過電流が流れない構成であるならば、このメタル・光変換装置５ａがエレベータ制御盤１からの制御信号を入力する構成としてもよい。この場合にはメタル・光変換装置５ａはエレベータ制御盤１からの制御信号を入力した場合には、光信号入出力部５ｃからの光信号の出力を停止したり、シリアル信号入出力部５ｂから入力した電気信号の光信号への変換を停止したりする。
【００３９】
また、メタル・光変換装置４ａ，４ｂをそれぞれ第１、第２の有線・無線変換装置に置き換えた上で、この第１の有線・無線変換装置はエレベータ制御盤１から伝送ケーブル２ａを介して送信された電気信号を電波に変換して送信し、第２の有線・無線変換装置は第１の有線・無線変換装置からの電波を元の電気信号に変換してシリアル伝送ケーブル２ｂを介してホール側制御盤９ａ，９ｂに送信する構成としても良い。
【００４０】
この場合には、第２の有線・無線変換装置はホール側制御盤９ａ，９ｂから伝送ケーブル２ｂを介して送信された電気信号を電波に変換して送信し、第１の有線・無線変換装置は第２の有線・無線変換装置からの電波を元の電気信号に変換してシリアル伝送ケーブル２ａを介してエレベータ制御盤１に送信する。
【００４１】
また、エレベータ制御盤１はシリアル伝送ケーブル２ａ，２ｃ，２ｄ，２ｅのそれぞれを介して制御信号が正常に伝送されているか否かを各ラインについて定期的に診断する。エレベータ制御盤１はこの診断を例えば各シリアル伝送ケーブルの接続先の機器に状態確認信号を送信し、この信号の受信確認信号が送信先の機器から送信されたか否かを確認することにより行なう。この場合には、エレベータ制御盤１は、受信確認信号を受信した場合には、この送信元との間の制御信号の伝送が正常になされているとみなし、受信確認信号を受信できなかった場合には、この送信元との間の制御信号の伝送が正常でないとみなす。
【００４２】
また、エレベータ制御盤１の主コントローラ２１は前述した診断機能において信号伝送のエラーを診断した場合、エラーの発生箇所などを示す情報を通信コントローラ２２、通信ドライバ２４ｄおよびシリアル伝送ケーブル２ｅを介してエレベータ監視盤１２に出力する。エレベータ監視盤１２はこの情報のモニタ表示を行なう。
【００４３】
また、エレベータ制御盤１の主コントローラ２１は診断機能において前述した自己診断機能において信号伝送のエラーを診断した場合、この診断結果を例えばエラーコードとしてメモリ２３に記憶する。点検作業員がメモリ２３に記憶された情報を参照すればエラー内容を容易に把握できるのでメンテナンス時の復旧が早くなる。
【００４４】
また、エレベータ制御盤１は前述した診断機能においてホール側制御盤９ａ，９ｂとの少なくとも一方との間の信号伝送のエラーを診断した場合、呼びの有無に関係なく乗りかごの各階停止運転を制御する。このような制御を行なえば、エレベータ制御盤１とホール側制御盤との信号伝送が正常に行なえなくなった場合でもサービスを継続することができる。
【００４５】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００４６】
【図１】本発明の実施形態にしたがったエレベータ制御機器の構成例を示すブロック図。
【図２】本発明の実施形態にしたがったエレベータ制御盤の内部回路の構成例を示すブロック図。
【図３】従来のエレベータ制御の内部回路の構成例を示すブロック図。
【図４】従来の階床側機器の構成例を示すブロック図。
【図５】従来の階床側機器の別の構成例を示すブロック図。
【符号の説明】
【００４７】
１，３０…エレベータ制御盤、２ａ〜２ｅ…シリアル伝送ケーブル、３…中継装置、４ａ，５ａ…メタル・光変換装置、４ｂ，５ｂ…シリアル信号入出力部、４ｃ，５ｃ…光信号入出力部、６ａ，６ｂ…光伝送路、７…非常運転スイッチ、８…制御信号ケーブル、９ａ，９ｂ…ホール側制御盤、１０…かご操作盤、１１…かごドア制御盤、１２…エレベータ監視盤、２１，３１…主コントローラ、２２，３２…通信コントローラ、２３…メモリ、２４ａ〜２４ｅ，３３ａ〜３３ｄ，４２…通信ドライバ、４０…昇降路側制御基板、４１…ホールコントローラ、５０…インジケータ・ボタン用基板、５１ａ，５１ｂ…ホールインジケータ、５２ａ，５２ｂ…ホールボタン、６０…ホール操作盤制御基板。
【図１】
2007062853.tif 000003
【図２】
2007062853.tif 000004
【図３】
2007062853.tif 000005
【図４】
2007062853.tif 000006
【図５】
2007062853.tif 000007